(57)【要約】  超広帯域通信システム（１０１）は、携帯装置などの第２の装置（１０５）と通信している、ホスト装置またはサーバなどの第１の装置（１０３）を有する。第１の装置（１０３）は、第２の装置（１０５）にダウンロードする、ムービーなどのデータを記憶するためのメモリ（１０７）を備える。第１の装置（１０３）は、エアーインタフェースを介して第２の装置の超広帯域受信器（１１３）にデータを送信するための超広帯域送信器（１０９）を備える。マルチバンド直交周波数多重方式で２以上の周波数サブバンドを連結することにより、第１の装置（１０３）と第２の装置（１０５）間の実効データ転送速度を高速化することができ、第１の装置（１０３）の送信器（１０９）が、全てが同時にバースト転送する多数の送信器のように動作するように構成される。更に、データ転送操作中に、第２の装置（１０５）を、第１の装置（１０３）と固定の位置関係に配置可能にする手段が提供される。超広帯域伝送のレンジを、距離ｄまで大幅に縮めたことと、複数のＵＷＢサブバンドを固定することにより、データスループットの大幅な向上が可能となる。距離ｄは、３０ｃｍ未満であり、好ましくは（電気的に接触せずに）接触している。
2009521160.tif 000002
【特許請求の範囲】
【請求項１】
複数の周波数サブバンドとして編成されたマルチバンド直交周波数多重を使用する超広帯域通信システムを介して、携帯装置にデータファイルを送信するための通信装置であって、
データ転送操作中に、２以上の周波数サブバンドを連結する手段と、
前記２以上の連結された周波数バンドを介して前記携帯装置にデータを送信する手段と、
データ転送操作中に、前記携帯装置を、前記通信装置に対して所定の位置関係に配置可能にする手段と、を有する通信装置。
【請求項２】
前記配置手段は、前記データ転送操作中に、前記携帯装置を前記通信装置から１００ｃｍ未満の距離内に配置するように構成されている請求項１に記載の通信装置。
【請求項３】
前記配置手段は、前記データ転送操作中に、前記携帯装置を前記通信装置から３０ｃｍ未満の距離内に配置するように構成されている請求項１に記載の通信装置。
【請求項４】
前記配置手段は、前記データ転送操作中に、前記携帯装置を、前記通信装置と電気的に接続させずに接触させるように構成されている請求項１〜３のいずれか一項に記載の通信装置。
【請求項５】
前記配置手段は、データ転送操作中に、前記携帯装置を前記固定の位置関係に保持する手段を有する請求項１〜４のいずれか一項に記載の通信装置。
【請求項６】
前記配置手段は、データ転送操作中に、前記携帯装置を受け容れるためのクレードルを有する請求項１〜４のいずれか一項に記載の通信装置。
【請求項７】
前記配置手段は、データ転送操作中に、前記携帯装置を受け容れるための表面を有する請求項１〜４のいずれか一項に記載の通信装置。
【請求項８】
前記表面は、データ転送操作中に、ユーザによって置かれる携帯装置を受け容れるように構成されている請求項７に記載の通信装置。
【請求項９】
前記表面は、データ転送操作中に、ユーザによって前記表面に保持されるかまたは前記表面の近くに保持される携帯装置を受け容れるように構成されている請求項７に記載の通信装置。
【請求項１０】
前記配置手段は、データ転送操作中に、前記携帯装置が電気的に接触せずにその中を摺動するレセプタクルまたはスロットを有する請求項１〜４のいずれか一項に記載の通信装置。
【請求項１１】
前記連結手段は、データ転送操作中に２以上の近接する周波数サブバンドを連結するように適合されている請求項１〜１０のいずれか一項に記載の通信装置。
【請求項１２】
前記連結手段は、データ転送操作中に、前記マルチバンド直交周波数多重システムの同じバンドグループの２以上の近接する周波数サブバンドを連結するように適合されている請求項１１に記載の通信装置。
【請求項１３】
前記通信装置と前記第２の装置との間の既知の位置関係に基づいて１つ以上の伝送パラメータを適合させる手段を更に有する請求項１〜１２のいずれか一項に記載の通信装置。
【請求項１４】
前記通信装置はサーバ装置である請求項１〜１３のいずれか一項に記載の通信装置。
【請求項１５】
複数の周波数サブバンドに編成されたマルチバンド直交周波数多重を使用する超広帯域通信システムにおいて、通信装置と携帯装置との間でデータファイルを送信する方法であって、
２以上の周波数バンドを連結するステップと、
前記２以上の連結された周波数バンドを介して前記携帯装置にデータを送信するステップと、
前記データ転送操作中に、前記携帯装置を、前記通信装置に対して所定の位置関係に配置するステップと、を有する方法。
【請求項１６】
前記配置ステップは、前記データ転送操作中に、前記携帯装置を前記通信装置から１００ｃｍ未満の距離内に配置するステップを有する請求項１５に記載の方法。
【請求項１７】
前記配置ステップは、前記データ転送操作中に、前記携帯装置を前記通信装置から３０ｃｍ未満の距離内に配置するステップを有する請求項１５に記載の方法。
【請求項１８】
前記配置ステップは、前記データ転送操作中に、前記携帯装置を、前記通信装置と電気的に接続させずに接触させるステップを有する請求項１５〜１７のいずれか一項に記載の方法。
【請求項１９】
前記配置ステップは、データ転送操作中に、前記携帯装置を前記固定の位置関係に保持する手段を提供するステップを有する請求項１５〜１８のいずれか一項に記載の方法。
【請求項２０】
前記配置ステップは、データ転送操作中に、前記携帯装置を受け容れるためのクレードルを提供するステップを有する請求項１５〜１８のいずれか一項に記載の方法。
【請求項２１】
前記配置ステップは、データ転送操作中に、前記携帯装置を受け容れるための支承面を提供するステップを有する請求項１５〜１８のいずれか一項に記載の方法。
【請求項２２】
使用時、前記データ転送操作中に、前記携帯装置がユーザによって前記支承面に置かれる請求項２１に記載の方法。
【請求項２３】
使用時、前記データ転送操作中に、前記携帯装置がユーザによって前記支承面に保持されるか、または前記支承面の近くに保持される請求項２１に記載の方法。
【請求項２４】
前記配置ステップは、データ転送操作中に、前記携帯装置が電気的に接触せずにその中を摺動するレセプタクルまたはスロットを提供するステップを有する請求項１５〜１８のいずれか一項に記載の方法。
【請求項２５】
前記連結ステップは、データ転送操作中に２以上の近接する周波数サブバンドを連結するステップを有する請求項１５〜２４のいずれか一項に記載の方法。
【請求項２６】
前記連結ステップは、データ転送操作中に、前記マルチバンド直交周波数多重システムの同じバンドグループの２以上の近接する周波数サブバンドを連結するステップを有する請求項２５に記載の方法。
【請求項２７】
前記通信装置はサーバ装置である請求項１５〜２６のいずれか一項に記載の方法。
【請求項２８】
請求項１〜１４のいずれか１項に記載の通信装置と併用される携帯装置であって、
２以上の連結された周波数サブバンドを含む信号を受信する受信器と、
前記連結されたサブバンドを処理する手段と、を有する携帯装置。
【請求項２９】
前記受信器は、前記受信器が前記２以上の連結された周波数サブバンドを受信および処理するように適合された第１の動作モードと、前記受信器が単一周波数サブバンドを受信および処理するように適合された第２の動作モードとの間で切換可能である請求項２８に記載の携帯装置。
【発明の詳細な説明】
【技術分野】
【０００１】
本発明は、通信システムおよび方法に関し、より詳細には、第１の通信装置（ホスト装置など）と第２の通信装置（携帯装置など）との間で、大量の（一般には１ＧＢ越と定義される）データを無線によって高速で転送するための超広帯域（ultra wideband：ＵＷＢ）通信システムおよび方法に関する。
【背景技術】
【０００２】
超広帯域とは、極めて広い周波数範囲（３．１〜１０．６ＧＨｚ）にわたってデジタルデータを伝送する無線技術である。この技術は、ごく低い（通常は−４１ｄＢｍ／ＭＨｚ未満）伝送電力を利用しており、既存のＷｉ−Ｆｉ、ＧＳＭ、ブルートゥースなどの他の伝送周波数の下に文字通り隠すことができる。つまり、超広帯域は、ほかの高周波技術と共存することができる。しかし、通信が、一般に５〜２０メートルの距離に制限されるという制約がある。
【０００３】
超広帯域は、多くの場合、ナノ秒（ｎｓ）またはそれ以下の非常に短いインパルスを使用して、極めて広い周波数スペクトル（米国の連邦通信委員会（ＦＣＣ）が現在承認しているのは３．１〜１０．６ＧＨｚ）にわたって情報を変調する。このパルスは、周波数スペクトル内に、極めて広い帯域幅にまたがるスペクトル成分を生じさせ（このため超広帯域と呼ばれている）、この帯域幅は、中心周波数の２０パーセント超、通常は少なくとも５００ＭＨｚを占める。
【０００４】
このような超広帯域の特性と、極めて広い帯域幅とにより、ＵＷＢは、通信装置が、互いに２０ｍの範囲内にある家庭またはオフィス環境に高速無線通信を提供する理想的な技術となる。
【０００５】
図１は、超広帯域通信のためのマルチバンド直交周波数分割多重（ＭＢ−ＯＦＤＭ）システムにおける周波数バンドの構成を示す。ＭＢ−ＯＦＤＭシステムは、それぞれ５２８ＭＨｚの１４のサブバンドを含み、アクセス方式として、各サブバンド間に３１２ナノ秒の周波数ホッピングを使用している。各サブバンド内では、データの伝送にＱＰＳＫ符号化が使用される。なお、５ＧＨｚを中心としたサブバンド（現在は５．１〜５．８ＧＨｚ）は、例えば８０２．１１ａＷＬＡＮシステム、保安機関の通信システムまたは航空産業などの既存の狭帯域システムとの干渉を避けるために空けられている。
【０００６】
１４のサブバンドは、４つのバンドグループに分けられており、それぞれ５２８ＭＨｚのサブバンドを３つ有するが、１つのバンドグループは、５２８ＭＨｚのサブバンドを２つ有する。図１に示すように、第１のバンドグループは、サブバンド１、サブバンド２およびサブバンド３を有する。例として挙げるＵＷＢシステムは、バンドグループのサブバンド間に周波数ホッピングを使用しており、第１の３１２．５ナノ秒の時間インターバルに、第１のデータシンボルがバンドグループの第１の周波数サブバンドで送信され、第２の３１２．５ナノ秒の時間インターバルに、第２のデータシンボルがこのバンドグループの第２の周波数サブバンドで送信され、第３の３１２．５ナノ秒の時間インターバルに、第３のデータシンボルがこのバンドグループの第３の周波数サブバンドで送信される。このため、各時間インターバルの間に、データシンボルが、帯域幅５２８ＭＨｚのそれぞれのサブバンド（例えば、中心周波数３９６０ＭＨｚの５２８ＭＨｚのベースバンド信号を含むサブバンド２）で送信される。
【０００７】
超広帯域の技術的な性質は、データ通信の分野において各種用途に利用されつつあるということである。例えば、以下の環境において、ケーブルの代替として主眼を置いたさまざまな用途が存在する。
−ＰＣと、周辺機器、すなわち外部デバイス（ハードディスク装置、ＣＤライタ、プリンタ、スキャナなど）との間の通信
−無線手段によって接続されたテレビとデバイス、無線スピーカなどのホームエンターテイメント
−例えば、携帯電話、ＰＤＡなどのハンドへルドデバイスおよびＰＣ、デジタルカメラ、ＭＰ３プレーヤなどの間の通信
【発明の開示】
【発明が解決しようとする課題】
【０００８】
超広帯域は、大量のデータを比較的短時間に送信可能な広い帯域幅を有するものの、データのダウンロードのサイズがますます大きくなっていることから、多くの用途では、装置間で大量のデータをコピーする際に問題や遅延が依然として発生している。例えば、第１の装置（無線ジュークボックスなど）と第２の装置（パーソナルコンピュータなど）との間のビデオデータまたは音楽データの転送は、ビデオまたは音楽を、無線でリアルタイムに楽しめる程度に十分高速である。しかし、この転送速度は、第１の装置と第２の装置の間でムービーファイルを完全に転送する（通常１０〜４０ＧＢのデータ転送が行われる）のに許容できる速度よりも低い。
【０００９】
複数のサブバンドで同時にデータシンボルを送信することによって、データ速度を高速化できることが知られている。言い換えれば、データが、符号化およびインターリーブされて、２以上のサブバンドで同時に伝送するために、２以上の並列のビットストリームに分割される。しかし、このようなシステムには、送信器とアンテナが複数個必要となる、つまり使用する並列のサブバンドごとに１つずつ必要になるという不都合がある。また、受信器も、情報を同時に受け取るために複数のアンテナを必要とする。このため、アンテナと無線ステージを複数用いる必要があるため、送信装置と受信装置の両方のコストが上昇する。
【００１０】
本発明の目的は、大容量のデータを短時間に送信することができる改良された超広帯域通信システムおよび方法を提供することにある。
【課題を解決する手段】
【００１１】
本発明の第１の態様によれば、複数の周波数サブバンドとして編成されたマルチバンド直交周波数多重を使用する超広帯域通信システムを介して、携帯装置にデータファイルを送信するための通信装置が提供される。前記通信装置は、データ転送操作中に、２以上の周波数サブバンドを連結する手段と、前記２以上の連結された周波数バンドを介して前記携帯装置にデータを送信する手段とを有する。前記通信装置は、データ転送操作中に、前記携帯装置を、前記通信装置に対して所定の位置関係に配置可能にする手段も有する。
【００１２】
周波数サブバンドを連結することと、２つの装置を所定の位置関係に配置するということにより、ごく短時間で大量のデータの送信が可能になるという利点が得られる。
【００１３】
本発明の別の態様によれば、複数の周波数サブバンドに編成されたマルチバンド直交周波数多重を使用する超広帯域通信システムにおいて、通信装置と携帯装置との間でデータファイルを送信する方法が提供される。前記方法は、２以上の周波数バンドを連結するステップと、前記２以上の連結された周波数バンドを介して前記携帯装置にデータを送信するステップと、を有する。前記方法は、前記データ転送操作中に、前記携帯装置を、前記通信装置に対して所定の位置関係に配置するステップも有する。
【００１４】
本発明の別の態様によれば、添付の請求項に記載の通信装置と併用される携帯装置が提供される。前記携帯装置は、２以上の連結された周波数サブバンドを含む信号を受信する受信器と、前記連結されたサブバンドを処理する手段と、を有する。
【００１５】
本発明をよりよく理解し、本発明を実施することができる方法を明瞭に示すために、例示のみを目的として添付の図面を参照する。
【発明を実施するための最良の形態】
【００１６】
図２は、本発明に係る超広帯域通信システム１０１の模式図を示す。超広帯域通信システム１０１は、携帯装置などの第２の装置１０５と通信している、ホスト装置またはサーバなどの第１の通信装置１０３を含む。なお、第２の装置１０５は、ハードディスクなどの「ダム」記憶装置であっても、メディアプレーヤ、携帯電話またはビデオ再生装置などの「インテリジェントな」装置であってもよい。
【００１７】
第１の通信装置１０３は、第２の装置１０５にダウンロードするデータを記憶するためのメモリ１０７を備える。例えば、メモリ１０７は、ムービー映像、オーディオトラック、写真画像、ＭＰ３ファイルなどのカタログまたはコレクションを記憶するように適合されうる。第１の装置１０３は、エアーインタフェースを介してデータを送信するための超広帯域送信器１０９を備える。第１の装置１０３は、任意選択で、例えば、第２の装置１０５から第１の装置１０３にデータをアップロードするときに、第２の装置１０５からデータを受信するための超広帯域受信器１１１を備える。
【００１８】
第２の装置１０５は、エアーインタフェースを介して第１の装置１０３から受信されるデータを受信するための超広帯域受信器１１３と、受信したデータを記憶するためのメモリ１０６を備える。第２の装置１０５は、任意選択で、例えば、第２の装置１０５のメモリから第１の装置１０３にデータをアップロードするときに、第１の装置１０３にデータを送信するための超広帯域受信器１１５を備える。
【００１９】
本発明によれば、第１の通信装置１０３と第２の装置１０５の間の実効データ転送速度が、次のように高速化される。
【００２０】
第一に、第１の装置１０３の送信器１０９は、データ転送操作中に２以上のサブバンドを連結するように構成されている。例えば、図３に示すように、第１の通信装置１０３の送信器１０９は、第１のバンドグループのサブバンド１、サブバンド２およびサブバンド３を連結するように構成され、このため、中心周波数３９６０ＭＨｚの１５８４ＭＨｚのベースバンド信号５１が、データの送信に使用されるようになる。このようにして、連結するサブバンドの数に応じて、データ速度を高速化することができる。これは、すぐ近傍の複数のＵＷＢサブバンドを固定する効果を有し、このため、データスループットの向上を可能にするために、本発明のＵＷＢ装置が、広い帯域幅を固定できるようになる。
【００２１】
第２に、第１の通信装置１０３は、データ転送操作中に、第２の装置１０５を、第１の通信装置１０３に対して所定の位置関係に配置可能にする手段を備える。
【００２２】
このようにして、第１の通信装置１０３と第２の装置１０５が、データ転送操作中に互いに接近して配置され、このため、ＵＷＢ伝送のレンジを、距離ｄまで大幅に縮めることができる。更に、第１の通信装置１０３と第２の装置１０５を所定の位置関係に配置することにより、データ速度の高速化が可能となる。例えば、第１の通信装置１０３と第２の装置１０５間のエアーインタフェースが既知であるため、特定の通信プロトコルを簡略化または省略できることになる。例えば、第２の装置１０５が所定の位置関係に配置されていることで、第１の通信装置１０３が、自身と第２の装置１０５との間のチャネル特性を認識している（または学習して認識する）ため、チャネル推定手順が簡略化される。また、所定の位置関係により、エラーレートも低減され、このことも、実効データ速度の高速化に寄与する。
【００２３】
第１の通信装置１０３と第２の装置１０５を接近させることと、複数のＵＷＢサブバンドを連結することにより、データスループットの大幅な向上が可能となる。「接近」との文言は、距離ｄが１００ｃｍ未満、好ましくは３０ｃｍ未満、場合によっては（電気的に接続せずに）接触していることを意味する。
【００２４】
このため、本発明によれば、第１の通信装置１０３は、２以上の周波数サブバンドを連結することによって、機能的帯域幅を拡張する。例えば、上で説明したように、本発明は、マルチバンド直交周波数多重システムのバンドグループ内の隣り合った周波数サブバンドであるサブバンド１、サブバンド２およびサブバンド３を連結しうる。あるいは、本発明は、隣接するバンドグループ中のサブバンド同士（例えば、サブバンド２、サブバンド３およびサブバンド４）を連結してもよい。
【００２５】
図４を参照すると、本発明は、バンドストップまたはノッチフィルタを使用して、隣接していない２以上のサブバンドの周波数サブバンド同士を連結してもよい。例えば、本発明を使用して、周波数サブバンド２、サブバンド３、サブバンド５およびサブバンド６を連結することができる。サブバンドの連結が、隣接していないバンドグループ間で行われてもよい。
【００２６】
このため、送信器１０９が、従来の方法で第２の装置と通信するために、１つのＵＷＢサブバンドを固定する代わりに、本発明は、複数の送信装置が並列に通信しているように見えるように、送信器１０９の操作を適合させるということが認められよう。通常、同じ送信装置によって複数のサブバンドが使用されるため、このことが、近くで動作している他のＵＷＢ装置の性能に悪影響を及ぼすように思われる。しかし、ＵＷＢ伝送は、ごく短距離（１００ｃｍ未満）で行われるか、場合によっては、電気的に接触せずに接触して行われるため、第１の装置と第２の装置は、ＵＷＢ空間を使用するほかの装置の性能に悪影響を及ぼすことなく、近くで複数のＵＷＢバンドを一時的に完全に占領することができる。好ましくは、第１の装置と第２の装置は、バンドグループまたはチャネル内の、隣接する利用可能なＵＷＢバンドを、全てではなくとも、その大半を一時的に完全に占領する。
【００２７】
上で説明したように、好ましい実施形態は、同じバンドグループまたはチャネル内の１以上の隣接するサブバンド（例えば第１のバンドグループのサブバンド１〜３）を連結するように適合されているが、複数のバンドグループのＵＷＢバンド同士を連結するように本発明が拡張されてもよい。また、好ましい実施形態は、３のサブバンドを連結することを開示しているが、１４の全サブバンドを含め、任意の数のサブバンドが連結されてもよいことはいうまでもない。
【００２８】
好ましくは、既存のシステムとの統合が容易となるように、連結されるバンドは互いに隣接している。これは、第２の装置１０５の受信器１１３が、既存のハードウェア仕様の時間インターリーブ周波数ホッピング（時間周波数コード）により拡散された１５８４ＭＨｚを探すように調整されるためである。しかし、第２の装置１０５は、従来の受信器で行われているように５２８ＭＨｚ幅の信号を処理するのではなく、１５８４ＭＨｚの幅の信号を処理するように構成されている。
【００２９】
上で説明したように、データ転送は、第１の通信装置１０３と第２の装置１０５が互いに所定の位置関係にあるとき、好ましくは（電気的に接続せずに）互いに接触しているときに行われる。複数のＵＷＢバンドを使用することと、伝送距離を短縮することにより、第１の装置と第２の装置間で、大きなデータファイル（例えば、ムービーに関連する１０ＧＢのデータファイル）を、１分未満で送信することが可能となる。
【００３０】
本発明の更に別の態様では、第１の装置１０３は、第１の装置が、対象のエリアにおいて、伝送に使用可能な周波数サブバンドの数を決定したのちに、２以上のサブバンドを連結するように適合されている。
【００３１】
第２の装置１０５は、連結されたサブバンドを受信し、データを再生するか第２の装置１０５に記憶するために、広い帯域幅のベースバンド信号からデータをデコードするように適合されている。好ましくは、第２の装置は、受信器が、従来の方法で５２８ＭＨｚ幅の信号を受信および処理するように適合されている第１の動作モードと、受信器が、拡張データ速度モードで１５８４ＭＨｚ幅の信号を受信および処理するように適合されている第２の動作モード間を切換可能である。
【００３２】
なお、データを記憶するためのメモリ１０７は、第１の通信装置１０３の一部分を構成していても、リモート接続（例えば中央サーバ装置）に設けられていてもよい。別の実施形態では、メモリ１０７が、第１の通信装置１０３と、別の遠隔地の間で分割されていてもよい。例えば、第１の通信装置１０３内のメモリ１０７が、頻繁に要求されるデータ（最新の人気のムービーなど）を記憶するために使用され、リモートメモリは、さほど頻繁に要求されないデータ（古いムービーのバックカタログなど）を記憶するために使用されうる。好ましくは、この分割記憶の実施形態では、第１の装置のメモリと遠隔地のメモリ間のデータリンクは、例えば、１本または複数本の高速の銅またはファイバのチャネルなどのように非常に高速であり、遠隔地に記憶されているファイルのデータ転送速度が低くなり過ぎることがない。
【００３３】
図５は、第１の通信装置１０３が、データ転送プロセス中に第２の装置１０５を支承するためのクレードル１１６を備える本発明の更に別の態様を示す。第１の通信装置１０３は、第２の装置１０５（ポータブルメディアプレーヤまたはポータブル記憶装置など）にデータを転送するための、現金自動預入支払機（ＡＴＭ）などのキオスクまたはガソリンポンプとして示される。図２と同様に、第１の装置１０３は、第２の装置１０５にダウンロードするデータを記憶するためのメモリ１０７を備える。
【００３４】
この実施形態によれば、クレードル１１６は、データ転送プロセス中に第２の装置１０５を支承するように昨日し、データ転送プロセス中に第１の装置と第２の装置が互いに所定の位置関係に確実に配置されるようにする。例えば、クレードルは、第１の装置と第２の装置の間が所定の距離より短くなる（３０ｃｍより短いなど）ように、第１の装置と第２の装置を配置するように構成されうる。別の実施形態では、クレードルが、データ転送操作中に、第１の装置と第２の装置が互いに物理的に接触する（ただし電気的接触はない）ように構成されてもよい。
【００３５】
このように規定された距離に近づけることにより、無線インタフェースを介した自動電力制御が可能となる。例えば、チャネルスループットを維持しつつ、電力を低減することができ、ひいては、キオスクを距離を詰めて設置することが可能となる。更に、所定の位置関係により、データエラー訂正操作の実行回数を減らすことができ、第１の装置と第２の装置間のデータ転送速度の高速化に寄与する。
【００３６】
クレードル１１６は、図５では、ＡＴＭ型の機械として示されているが、任意のデスクトップ装置の一部分（例えばコンピュータ、ＤＶＤプレーヤ、テレビなどの一部分）を構成していても、このような装置にリモートで接続される独立したクレードルであってもよい点に留意されたい。後者によれば、クレードルは、送信器および／または受信器の回路を収容しており、ワイヤまたはファイバ（あるいは他のデータチャネル）によってホスト装置に恒久的に接続されており、データ転送操作中に携帯装置を受け容れる。
【００３７】
別の実施形態によれば、第１の通信装置１０３は、データ転送操作中に、ユーザによって置かれた携帯装置を受け容れる単純な支持部（パッドなど）を備えていてもよい。このような構成では、ユーザが、データ転送操作中に携帯装置を支持部に単に配置すればよいように、支持体は実質的に水平に配置されている。別の実施形態では、データ転送操作中に、ユーザによって携帯装置が支持部に保持されるように、支持体が、垂直または斜めなどの他の任意の構成に配置されてもよい。
【００３８】
更に別の実施形態によれば、第１の通信装置は、レセプタクルまたはスロットを有し、その中を携帯装置が（電気的に接触せずに）を摺動する。
【００３９】
図６ａ，６ｂは、本発明の代表的な用途を示す。図６ａでは、第１の装置１０３は、そのメモリ装置１０７に、メディアファイルのカタログを記憶している。第１の装置１０３は、キオスク型の自動販売機またはＡＴＭ型の機械であり、利便性のよい公共の場所（ショッピングモールやガソリンスタンドの給油場（garage
forecourt）にある燃料ポンプなど）に設置されている。ユーザは、メディアファイル（ムービーなど）を選択してダウンロードするために、携帯装置１０５をホスト装置１０３に近づける。携帯装置１０５のメモリ１０６にメディアファイルが保存されると、このメディアをその装置で再生することも、は図６ｂに示すように、他の装置に転送することもできる。図６ｂは、携帯装置１０５のメモリ１０６に記憶されているメディアファイルが、他の装置１１７（ＤＶＤプレーヤ、ＰＣ、テレビなど）にアップロードされる様子を示す。
【００４０】
上記からわかるように、本発明により、ユーザが、さまざまなタイプのメディア（音楽、ビデオストリームなど）を再生可能な高速のＵＷＢチップセットが組み込まれているパーソナルメディアプレーヤを持ち運ぶことが可能となる。ユーザは、自動販売機で長い時間待たされずに、大きなビデオデータファイルを含むデータをダウンロードすることができる。その後、携帯装置は、携帯モードでメディアを再生することも、場合によっては、ＵＷＢ機能を使用して、いわゆる「ドッキング」構成で、ＵＷＢ対応のテレビまたはプラズマディスプレイに、高解像度の音声またはビデオコンテンツをストリーミングすることもできる。後者では、データ転送速度が優先される場合には、データ転送中に、ポータブルメディアプレーヤと、ＵＷＢ対応テレビまたはプラズマディスプレイとが接近してなければならないことはいうまでもない。例えば、単にビデオデータがテレビまたはプラズマディスプレイで鑑賞されるためなど、距離が離れている場合には、ポータブルメディアプレーヤは、従来のモードまたは拡張データスループットモード（ＵＷＢ方式）で、長距離を介して他の装置１１７にデータを転送するように構成されうる。
【００４１】
本発明は、高速かつ短時間のデータのバースト通信が望ましい多くの用途に特に適している。例えば、ＤＶＤ／音楽のレンタルビジネスに使用される場合には、店舗から、かさばるＤＶＤメディアやケースを一掃することができ、場合によっては、カウンタの人員さえも削減することができる。本発明により、ＤＶＤ／音楽のレンタルを、ＡＴＭキャッシュコーナーシステムに近いシステムのような無人環境で行うことが可能となる。言い換えれば、ユーザは来店して、ＡＴＭ型のジュークボックスの１つから音楽または映像メディアを選択して、選択したメディアを、短時間で自分のポータブルメディア装置にダウンロードすることができる。ユーザは、供給元の機械で、不相応に長い間待たされることを望まないため、このような用途では、高速の大容量のデータ転送が重要である。本発明により、ユーザは、既存のＡＴＭ現金自動支払機の通常の待ち時間で、一般的なムービーをダウンロードすることができ、この程度の時間はユーザに受け容れると考えられる。
【００４２】
想定される他の用途として、「ポッドキャスト」タイプの用途があり、これにより、利用者が、電車または飛行機に乗る前に、Ｗｉ−Ｆｉタイプの超広帯域ホットスポットにアクセスして、旅行の間楽しめるメディアセレクション（音楽、映像、場合によってはラジオ放送）を作成することができる。
【００４３】
なお、好ましい実施形態を、第１の装置（通常は、ホスト装置またはサーバ装置である）に関して説明したが、第１の装置が携帯式またはハンドヘルドの装置であってもよいことはいうまでもない。このような構成では、本発明を使用して、２つの携帯装置または記憶装置間でデータを高速に転送することができる。
【００４４】
また、好ましい実施形態では、データ転送操作中に、第１の装置と第２の装置を固定の位置関係に配置する手段が、第２の装置を受け容れるためのクレードルを備えると記載したが、配置手段が、第２の装置を、第１の装置と固定の関係に支承するための表面も有していてもよい。この表面は、ユーザが、データ転送操作中に、携帯装置を置く表面であっても、ユーザが、データ転送操作中に、携帯装置を保持する表面であってもよい。
【００４５】
更に、好ましい実施形態をＭＢ−ＯＦＤＭ技術に関して記載したが、本発明がほかの超広帯域技術にも等しく適用可能なことはいうまでもない。
【００４６】
上記の実施形態は、本発明を限定せずに本発明を説明しているという点と、当業者は、添付の請求の範囲の範囲から逸脱することなく、多くの別の実施形態を設計することができるという点に留意されたい。「備える（有する）」との文言は、請求項に記載されている以外の要素またはステップの存在を排除せず、また複数の要素も排除されず、シングルプロセッサまたは他のユニットが、請求項に記載されている機能を遂行してもよい。請求項に記載の参照符号は、その範囲を限定するものと解釈されるべきではない。
【図面の簡単な説明】
【００４７】
【図１】ＭＢ−ＯＦＤＭシステムのマルチバンドＯＦＤＭアライアンス（ＭＢＯＡ）によって承認された周波数スペクトルを示す。
【図２】本発明に係る超広帯域通信システムを示す。
【図３】本発明の第１実施形態に従って使用される場合の、ＭＢ−ＯＦＤＭシステムのＭＢＯＡ周波数スペクトルを示す。
【図４】本発明の第２実施形態に従って使用される場合の、ＭＢ−ＯＦＤＭシステムのＭＢＯＡ周波数スペクトルを示す。
【図５】本発明の別の態様に係る超広帯域通信システムを示す。
【図６】本発明に係る超広帯域通信システムの代表的な用途を示す。
【図１】
2009521160.tif 000003
【図２】
2009521160.tif 000004
【図３】
2009521160.tif 000005
【図４】
2009521160.tif 000006
【図５】
2009521160.tif 000007
【図６ａ】
2009521160.tif 000008
【図６ｂ】
2009521160.tif 000009
【手続補正書】
【提出日】平成19年10月21日(2007.10.21)
【手続補正１】
【補正対象書類名】特許請求の範囲
【補正対象項目名】全文
【補正方法】変更
【補正の内容】
【特許請求の範囲】
【請求項１】
複数の周波数サブバンドとして編成されたマルチバンド直交周波数多重を使用する無線超広帯域通信システムを介して、携帯装置にデータファイルを送信するための通信装置であって、
データ転送操作中に、２以上の周波数サブバンドを連結する手段と、
前記２以上の連結された周波数バンドを介して前記携帯装置にデータを送信する手段と、
データ転送操作中に、前記携帯装置を、前記通信装置に対して所定の位置関係に配置可能にする手段と、を有する通信装置。
【請求項２】
前記可能手段は、前記データ転送操作中に、前記携帯装置を前記通信装置から１００ｃｍ未満の距離内に配置するように構成されている請求項１に記載の通信装置。
【請求項３】
前記可能手段は、前記データ転送操作中に、前記携帯装置を前記通信装置から３０ｃｍ未満の距離内に配置するように構成されている請求項１に記載の通信装置。
【請求項４】
前記可能手段は、前記データ転送操作中に、前記携帯装置を、前記通信装置と電気的に接続させずに接触させるように構成されている請求項１〜３のいずれか一項に記載の通信装置。
【請求項５】
前記可能手段は、データ転送操作中に、前記携帯装置を前記固定の位置関係に保持する手段を有する請求項１〜４のいずれか一項に記載の通信装置。
【請求項６】
前記可能手段は、データ転送操作中に、前記携帯装置を受け容れるためのクレードルを有する請求項１〜４のいずれか一項に記載の通信装置。
【請求項７】
前記可能手段は、データ転送操作中に、前記携帯装置を受け容れるための表面を有する請求項１〜４のいずれか一項に記載の通信装置。
【請求項８】
前記表面は、データ転送操作中に、ユーザによって置かれる携帯装置を受け容れるように構成されている請求項７に記載の通信装置。
【請求項９】
前記表面は、データ転送操作中に、ユーザによって前記表面に保持されるかまたは前記表面の近くに保持される携帯装置を受け容れるように構成されている請求項７に記載の通信装置。
【請求項１０】
前記可能手段は、データ転送操作中に、前記携帯装置が電気的に接触せずにその中を摺動するレセプタクルまたはスロットを有する請求項１〜４のいずれか一項に記載の通信装置。
【請求項１１】
前記連結手段は、データ転送操作中に２以上の近接する周波数サブバンドを連結するように適合されている請求項１〜１０のいずれか一項に記載の通信装置。
【請求項１２】
前記連結手段は、データ転送操作中に、前記マルチバンド直交周波数多重システムの同じバンドグループの２以上の近接する周波数サブバンドを連結するように適合されている請求項１１に記載の通信装置。
【請求項１３】
前記通信装置と前記第２の装置との間の既知の位置関係に基づいて１つ以上の伝送パラメータを適合させる手段を更に有する請求項１〜１２のいずれか一項に記載の通信装置。
【請求項１４】
前記通信装置はサーバ装置である請求項１〜１３のいずれか一項に記載の通信装置。
【請求項１５】
複数の周波数サブバンドに編成されたマルチバンド直交周波数多重を使用する無線超広帯域通信システムにおいて、通信装置と携帯装置との間でデータファイルを送信する方法であって、
２以上の周波数バンドを連結するステップと、
前記２以上の連結された周波数バンドを介して前記携帯装置にデータを送信するステップと、
前記データ転送操作中に、前記携帯装置を、前記通信装置に対して所定の位置関係に配置するステップと、を有する方法。
【請求項１６】
前記配置ステップは、前記データ転送操作中に、前記携帯装置を前記通信装置から１００ｃｍ未満の距離内に配置するステップを有する請求項１５に記載の方法。
【請求項１７】
前記配置ステップは、前記データ転送操作中に、前記携帯装置を前記通信装置から３０ｃｍ未満の距離内に配置するステップを有する請求項１５に記載の方法。
【請求項１８】
前記配置ステップは、前記データ転送操作中に、前記携帯装置を、前記通信装置と電気的に接続させずに接触させるステップを有する請求項１５〜１７のいずれか一項に記載の方法。
【請求項１９】
前記配置ステップは、データ転送操作中に、前記携帯装置を前記固定の位置関係に保持する手段を提供するステップを有する請求項１５〜１８のいずれか一項に記載の方法。
【請求項２０】
前記配置ステップは、データ転送操作中に、前記携帯装置を受け容れるためのクレードルを提供するステップを有する請求項１５〜１８のいずれか一項に記載の方法。
【請求項２１】
前記配置ステップは、データ転送操作中に、前記携帯装置を受け容れるための支承面を提供するステップを有する請求項１５〜１８のいずれか一項に記載の方法。
【請求項２２】
使用時、前記データ転送操作中に、前記携帯装置がユーザによって前記支承面に置かれる請求項２１に記載の方法。
【請求項２３】
使用時、前記データ転送操作中に、前記携帯装置がユーザによって前記支承面に保持されるか、または前記支承面の近くに保持される請求項２１に記載の方法。
【請求項２４】
前記配置ステップは、データ転送操作中に、前記携帯装置が電気的に接触せずにその中を摺動するレセプタクルまたはスロットを提供するステップを有する請求項１５〜１８のいずれか一項に記載の方法。
【請求項２５】
前記連結ステップは、データ転送操作中に２以上の近接する周波数サブバンドを連結するステップを有する請求項１５〜２４のいずれか一項に記載の方法。
【請求項２６】
前記連結ステップは、データ転送操作中に、前記マルチバンド直交周波数多重システムの同じバンドグループの２以上の近接する周波数サブバンドを連結するステップを有する請求項２５に記載の方法。
【請求項２７】
前記通信装置はサーバ装置である請求項１５〜２６のいずれか一項に記載の方法。
【請求項２８】
請求項１〜１４のいずれか１項に記載の通信装置と併用されるように適合された携帯装置であって、
２以上の連結された周波数サブバンドを含む信号を受信する受信器と、
前記連結されたサブバンドを処理する手段と、を有する携帯装置。
【請求項２９】
前記受信器は、前記受信器が前記２以上の連結された周波数サブバンドを受信および処理するように適合された第１の動作モードと、前記受信器が単一周波数サブバンドを受信および処理するように適合された第２の動作モードとの間で切換可能である請求項２８に記載の携帯装置。
【国際調査報告】
2009521160.tif 000010
2009521160.tif 000011